(57)【要約】【課題】  ロール紙の給紙機構の簡略化とプリンタの小型化。【解決手段】  ロール紙をプリンタにセットする際に、ロール紙セット部をプリンタ前面に引き出すと、それに連動して給紙セットガイド板がロール紙とプリンタ本体の給紙ガイド板の間にせり出してきて、ロール紙の先端がプリンタ外部から容易にセットできる形態になる。  ロール紙セット後に、ロールセット部を本体に押し込むと、それに連動して、ロール紙セットガイド板がロール紙の紙パスから離れた位置に退避して、ロール紙の搬送の負荷にならない形態になる。【選択図】  図１
2007161382.tif 000002
【特許請求の範囲】
【請求項１】
ロール紙を保持するとともに、ロール紙をセットするために装置本体全面に引き出し可能なロール紙セット部と、
前記ロール紙セット部に保持されたロールから引き出されたロール紙を案内する装置本体側の給紙ガイドと、
ロール紙セット部の装置本体全面からの引き出し動作に連動して前記ロール紙セット部と、前記給紙ガイドの間に移動し、ロール紙を前記給紙ガイドに案内する給紙セットガイドと、
を有するロール紙のセット機構。
【発明の詳細な説明】
【技術分野】
【０００１】
本発明はロール紙を用いるプリンタに関するもので、ロール紙をプリンタ本体にセットする機構に関するものである。
【背景技術】
【０００２】
従来、ロール紙をプリンタ本体にセットするとき、ロール紙を手で給紙部のガイドに案内していた。
【０００３】
従来例としては、例えば特許文献１と特許文献２をあげることが出来る。
【特許文献１】特開平１１−１１７５０号公報
【特許文献２】特開２００１−３０２０５１号公報
【発明の開示】
【発明が解決しようとする課題】
【０００４】
特に、A2サイズ以上のインクジェットプリンタにおいては、主としてロール紙をプリンタにセットして給紙・搬送を行っているが、用紙の幅が大きいため、しわ等ができないように給紙部のガイドに案内することは難しかった。
【０００５】
本発明の目的はロール紙のセットを容易にし、かつ、プリンタ本体の小型化ならびに軽量化する構造を提供することにある。
【課題を解決するための手段】
【０００６】
上記目的を達成するための本発明の構成は、ロール紙を保持するとともに、ロール紙をセットするために装置本体全面に引き出し可能なロール紙セット部と、前記ロール紙セット部に保持されたロールから引き出されたロール紙を案内する装置本体側の給紙ガイドと、ロール紙セット部の装置本体全面からの引き出し動作に連動して前記ロール紙セット部と、前記給紙ガイドの間に移動し、ロール紙を前記給紙ガイドに案内する給紙セットガイドと、を有するロール紙のセット機構である。
【発明の効果】
【０００７】
本発明のによれば、ロール紙のセットを容易にし、かつ、プリンタ本体の小型化ならびに軽量化する構造を提供することができる。
【発明を実施するための最良の形態】
【０００８】
（実施例１）
図１は本構成のプリンタAの外観を示した斜視図で、ロール紙１がロール紙セット部５にセットされた状態を示している。ロール紙セット部５は矢印G方向に出し入れが可能なスライドガイドと不図示のロール軸を着脱できるロール軸受け部によって構成されている。
【０００９】
セットされたロール紙はプリンタAの内部でインクジェット方式などの公知の機構により画像形成が行われ、排紙ガイド10を経て矢印Hに示したように機外に排出される。
【００１０】
図２はプリンタAの概略の断面図で、不図示のインクジェットヘッドを搭載したヘッドキャリッジ100とそのガイドレール105、および画像形成部を前述のロール紙セット部とともに示している。
【００１１】
ロール紙セット部は、引き出された状態で、かつロール紙セット部５にロール紙１がロール軸２を介してセットされているところを示したものである。この位置でロール紙セット部5は不図示のロック機構により固定されている。さらにロール紙セット部５には、ロール紙セットガイド板20の先端部20ａと係合する連動ピン５ａが設けられている。ロール紙セットガイド板20は回動軸20ａを中心として矢印Rよのうに回動自在に配置されているので、ロール紙セット部5が引き出されると、ロール紙セットガイド板20の先端部20ｂが連動ピン５ａに係合し、ロール紙セットガイド板20はロール紙１と本体内部のロール紙ガイド30および31の間にせり出されてセットされる。
【００１２】
この状態で、矢印Sで示したように、機外からロール紙セットガイド板に操作者の手が入れられるようになるので、操作者はロール紙１の先端１ａをロール紙セットガイド板20に沿わせるようにして本体内部のロール紙ガイド30および31の間に容易に挿入することができる。
【００１３】
続けて、ロール紙の先端を搬送ローラ40およびピンチローラ41のニップ部にまで挿入すると、不図示の検知機構により搬送ローラ40の回転が始まり、ロール紙の先端１ａは画像形成部35に搬送されロールの給紙は一旦停止する。
【００１４】
図３は、図２の状態から、ロール紙セット部5を本体内部に押し込み画像形成が開始される準備が整った状態を示したものである。ロール紙セット部５を本体内部に押し込むとロール紙セット部５は不図示のロック機構によりロックされる。また、連動ピン５ａとロール紙セットガイド板20の先端部20ａの係合がはずれ、ロール紙セットガイド板20は不図示の付勢バネによって図示の位置まで退避する。この位置は、搬送時のロール紙と接触しない位置であるので、搬送の支障になることがない。
【００１５】
不図示の検知手段によって、ロール紙セットガイド板20が上述の退避位置に退避したことが検知されると、ロール紙の先端が画像形成部35に向けて搬送されて、搬送ローラ40からロール紙1間のたるみが除去され、画像形成の準備のための給紙動作が完了する。
【００１６】
以上述べたように、ロール紙のセット時には、ロール紙セット部5が本体から引き出された状態で容易にセットできる。また、画像形成時には、ロール紙が本体内部に押し込まれた状態で行われるので、本体の小型化のために排紙ガイド10の先端10ａの出っ張り量を少なくしても、排出されたロール紙の先端１ｂが下方にあるロール紙にぶつかったり、巻き込まれたりする心配もない。
【００１７】
また、ロール紙１が本体内部に収納状態となるので、ほこりなどがロール紙につきにくい。
【００１８】
（実施例２）
ロール紙セットガイド板20は平板の形状で説明したが、ロール紙の画像形成面を保護するために、表面にガイドコロを配置したり、植毛などを施してもよい。
【００１９】
（実施例３）
ロール紙セットガイド板20とロール紙セット部5は、前者が回動で、後者が水平方向にスライドして互いに退避する機構としたが、それぞれ回動、スライド以外の機構で同様の退避形態をとるようにできることは言うまでもない。
【図面の簡単な説明】
【００２０】
【図１】本構成のプリンタAの外観を示した斜視図。
【図２】プリンタAの概略の断面図。
【図３】図２の状態から、ロール紙セット部5を本体内部に押し込み画像形成が開始される準備が整った状態を示したものである。
【符号の説明】
【００２１】
１    ロール紙
５    ロール紙セット部
５ａ    連動ピン
20    ロール紙セットガイド板
30    ロール紙ガイド
31    ロール紙ガイド
【図１】
2007161382.tif 000003
【図２】
2007161382.tif 000004
【図３】
2007161382.tif 000005